(57)【要約】【課題】組立工程が多い基台が施工時に外観に現れず、組立工程の少ない部材で外観を構成することで、様々な色対応を容易にすることができる太陽電池等のケーブル引込ユニットを提供すること。【解決手段】本発明の太陽電池等のケーブル引込ユニットは、基台１０の上面に配置するジョイント３０を設け、ジョイント３０には、基台基板１１及び棟包１の一部を覆うジョイント基板３１と、ジョイント基板３１に形成した支持板用開口３４とを備え、ジョイント３０を基台１０の上面に配置することで、基台基板１１を覆い、ケーブル導入用開口１４及び一対の支持板１５をカバー２０で覆うことを特徴とする。【選択図】        図１
2020111883.tif 000002
【特許請求の範囲】
【請求項１】
建造物の屋根頂部に配置される棟包の間に位置させる基台と、
前記基台の上方に配置するカバーと
からなり、
前記基台は、
前記棟包の間に位置させる基台基板と、
前記基台基板の下端から垂下させる基台側板と、
前記基台側板の下端から延出させる基台フランジ板と、
前記基台基板に形成したケーブル導入用開口と、
前記ケーブル導入用開口の側方に設けた一対の支持板と
を備え、
前記カバーは、
一対の前記支持板に当接するカバー天面材と、
前記カバー天面材の両側端から前記基台基板の方向に延出するカバー壁面材と
を備え、
一対の前記支持板の間には、
前記基台基板に取り付けた基台側ケーブル把持部材と、
前記カバー天面材に取り付けたカバー側ケーブル把持部材と
を備え、
前記カバーには、
前記基台フランジ板に対向させる覆い材を備え、
太陽電池パネルやアンテナなどに付属するケーブルを、野地板に形成した頂部隙間から屋内に導き、
前記基台側ケーブル把持部材と前記カバー側ケーブル把持部材とで前記ケーブルを挟み込み、
前記基台フランジ板と前記覆い材との間に、前記ケーブルを収める可撓管の端部を配置する太陽電池等のケーブル引込ユニットであって、
前記基台の上面に配置するジョイントを設け、
前記ジョイントには、
前記基台基板及び前記棟包の一部を覆うジョイント基板と、
前記ジョイント基板に形成した支持板用開口と
を備え、
前記ジョイントを前記基台の前記上面に配置することで、前記基台基板を覆い、
前記ケーブル導入用開口及び一対の前記支持板を前記カバーで覆う
ことを特徴とする太陽電池等のケーブル引込ユニット。
【請求項２】
前記ジョイントには、
前記ジョイント基板の下端から垂下させるジョイント側板と、
前記ジョイント側板の下端から延出させるジョイントフランジ板と
を備え、
前記ジョイント側板で前記基台側板を覆い、
前記ジョイントフランジ板で前記基台フランジ板を覆う
ことを特徴とする請求項１に記載の太陽電池等のケーブル引込ユニット。
【請求項３】
前記ジョイントには、
前記建造物の壁面に配置されるジョイント垂下板材を備えた
ことを特徴とする請求項１又は請求項２に記載の太陽電池等のケーブル引込ユニット。
【発明の詳細な説明】
【技術分野】
【０００１】
本発明は、太陽電池パネルやアンテナなどに付属するケーブルを、野地板に形成した頂部隙間から屋内に導く太陽電池等のケーブル引込ユニットに関する。
【背景技術】
【０００２】
特許文献１では、一対の支持板の間には、基台基板に取り付けた基台側ケーブル把持部材と、カバー天面材に取り付けたカバー側ケーブル把持部材とを備え、カバーには、基台フランジ板に対向させた覆い材を備え、基台側ケーブル把持部材とカバー側ケーブル把持部材とでケーブルを挟み込み、基台フランジ板と覆い材との間に、ケーブルを収める可撓管の端部を配置する太陽電池等のケーブル引込ユニットを提案している。
特許文献１の太陽電池等のケーブル引込ユニットは、可撓管の端部を配置できるとともにケーブルを位置決めでき、更に金属屋根やスレート屋根のように異なる種類の屋根に対応させることができ、性能的には極めて効果が高い。
【先行技術文献】
【特許文献】
【０００３】
【特許文献１】特開２０１８−５３７０７号公報
【発明の概要】
【発明が解決しようとする課題】
【０００４】
特許文献１の太陽電池等のケーブル引込ユニットは、基台とカバーとで構成されるが、カバーだけでなく基台も外観に露出するため、様々な色対応を行う場合には、基台及びカバーのいずれも要求される色にしなければならない。
しかし、特許文献１の太陽電池等のケーブル引込ユニットにおける基台は、基台基板の下端から垂下させる基台側板と、基台側板の下端から延出させる基台フランジ板と、基台基板に形成したケーブル導入用開口と、ケーブル導入用開口の側方に設けた一対の支持板とを備え、組立工程が多いために、様々な色対応を行うには生産工程に時間がかかってしまい納期が長くなってしまうという課題がある。
また、あらかじめ各色に応じた在庫を持つことは、在庫管理の負担が大きい。
【０００５】
そこで本発明は、組立工程が多い基台が施工時に外観に現れず、組立工程の少ない部材で外観を構成することで、様々な色対応を容易にすることができる太陽電池等のケーブル引込ユニットを提供することを目的とする。
【課題を解決するための手段】
【０００６】
請求項１記載の本発明の太陽電池等のケーブル引込ユニットは、建造物の屋根頂部に配置される棟包１の間に位置させる基台１０と、前記基台１０の上方に配置するカバー２０とからなり、前記基台１０は、前記棟包１の間に位置させる基台基板１１と、前記基台基板１１の下端から垂下させる基台側板１２と、前記基台側板１２の下端から延出させる基台フランジ板１３と、前記基台基板１１に形成したケーブル導入用開口１４と、前記ケーブル導入用開口１４の側方に設けた一対の支持板１５とを備え、前記カバー２０は、一対の前記支持板１５に当接するカバー天面材２１と、前記カバー天面材２１の両側端から前記基台基板１１の方向に延出するカバー壁面材２２とを備え、一対の前記支持板１５の間には、前記基台基板１１に取り付けた基台側ケーブル把持部材１６と、前記カバー天面材２１に取り付けたカバー側ケーブル把持部材２６とを備え、前記カバー２０には、前記基台フランジ板１３に対向させる覆い材２４を備え、太陽電池パネルやアンテナなどに付属するケーブル６０を、野地板３に形成した頂部隙間５から屋内に導き、前記基台側ケーブル把持部材１６と前記カバー側ケーブル把持部材２６とで前記ケーブル６０を挟み込み、前記基台フランジ板１３と前記覆い材２４との間に、前記ケーブル６０を収める可撓管７０の端部を配置する太陽電池等のケーブル引込ユニットであって、前記基台１０の上面に配置するジョイント３０を設け、前記ジョイント３０には、前記基台基板１１及び前記棟包１の一部を覆うジョイント基板３１と、前記ジョイント基板３１に形成した支持板用開口３４とを備え、前記ジョイント３０を前記基台１０の前記上面に配置することで、前記基台基板１１を覆い、前記ケーブル導入用開口１４及び一対の前記支持板１５を前記カバー２０で覆うことを特徴とする。
請求項２記載の本発明は、請求項１に記載の太陽電池等のケーブル引込ユニットにおいて、前記ジョイント３０には、前記ジョイント基板３１の下端から垂下させるジョイント側板３２と、前記ジョイント側板３２の下端から延出させるジョイントフランジ板３３とを備え、前記ジョイント側板３２で前記基台側板１２を覆い、前記ジョイントフランジ板３３で前記基台フランジ板１３を覆うことを特徴とする。
請求項３記載の本発明は、請求項１又は請求項２に記載の太陽電池等のケーブル引込ユニットにおいて、前記ジョイント３０には、前記建造物の壁面に配置されるジョイント垂下板材３５を備えたことを特徴とする。
【発明の効果】
【０００７】
本発明の太陽電池等のケーブル引込ユニットによれば、基台基板を露出させることなく施工でき、外観としてはジョイントとカバーが現れるため、様々な色対応の生産を迅速に行うことができる。
【図面の簡単な説明】
【０００８】
【図１】本発明の一実施例による太陽電池等のケーブル引込ユニットの主要部材の分解斜視図
【図２】同ケーブル引込ユニットの基台を示す図
【図３】同ケーブル引込ユニットのカバーを示す図
【図４】同ケーブル引込ユニットのジョイントを示す図
【図５】同ケーブル引込ユニットの主要部材の取り付け関係を示す図
【図６】本実施例による太陽電池等のケーブル引込ユニットの施工方法を示す図
【図７】本実施例による太陽電池等のケーブル引込ユニットの施工方法を示す図
【図８】本実施例による太陽電池等のケーブル引込ユニットの施工方法を示す図
【図９】本実施例による太陽電池等のケーブル引込ユニットを、片流れの金属立平屋根に施工した状態を示す断面図
【発明を実施するための形態】
【０００９】
本発明の第１の実施の形態による太陽電池等のケーブル引込ユニットは、基台の上面に配置するジョイントを設け、ジョイントには、基台基板及び棟包の一部を覆うジョイント基板と、ジョイント基板に形成した支持板用開口とを備え、ジョイントを基台の上面に配置することで、基台基板を覆い、ケーブル導入用開口及び一対の支持板をカバーで覆うものである。本実施の形態によれば、基台基板を露出させることなく施工でき、外観としてはジョイントとカバーが現れるため、様々な色対応の生産を迅速に行うことができる。
【００１０】
本発明の第２の実施の形態は、第１の実施の形態による太陽電池等のケーブル引込ユニットにおいて、ジョイントには、ジョイント基板の下端から垂下させるジョイント側板と、ジョイント側板の下端から延出させるジョイントフランジ板とを備え、ジョイント側板で基台側板を覆い、ジョイントフランジ板で基台フランジ板を覆うものである。本実施の形態によれば、基台の全てを露出させることなく施工できるため、様々な色対応の生産を迅速に行うことができる。
【００１１】
本発明の第３の実施の形態は、第１又は第２の実施の形態による太陽電池等のケーブル引込ユニットにおいて、ジョイントには、建造物の壁面に配置されるジョイント垂下板材を備えたものである。本実施の形態によれば、片流れ屋根の建造物に適している。
【実施例】
【００１２】
以下本発明の一実施例による太陽電池等のケーブル引込ユニットについて説明する。
図１は本実施例による太陽電池等のケーブル引込ユニットの主要部材の分解斜視図である。
本実施例は、片流れ屋根用のケーブル引込ユニットである。
図１に示すように、本実施例による太陽電池等のケーブル引込ユニットは、建造物の屋根頂部に形成される頂部隙間５（図６参照）に配置される基台１０と、基台１０の上方に配置するカバー２０と、基台１０の一部及び棟包１（図７参照）の一部を覆うジョイント３０とからなる。
【００１３】
図２は同ケーブル引込ユニットの基台を示す図である。
基台１０は、棟包１に当接させる基台基板１１と、基台基板１１の下端から垂下させる基台側板１２と、基台側板１２の下端から延出させる基台フランジ板１３と、基台基板１１に形成したケーブル導入用開口１４と、ケーブル導入用開口１４の側方に設けた一対の支持板１５と、建造物の壁面に配置される垂下板材１８を備えている。基台フランジ板１３は折り曲げを形成しない。
一対の支持板１５は、一対の支持板１５を接続する接続板１５ａと、ケーブル導入用開口１４の周囲に配置される開口補強部１５ｂとを有している。開口補強部１５ｂは、支持板１５とケーブル導入用開口１４との間と、接続板１５ａとケーブル導入用開口１４との間に形成されている。
一対の支持板１５、接続板１５ａ、及び開口補強部１５ｂは、１枚の金属板から一体成形されている。すなわち、一対の支持板１５は接続板１５ａの両側を折り曲げて形成されている。接続板１５ａ及び開口補強部１５ｂの位置で、ビスを用いて基台基板１１に取り付けている。
【００１４】
一対の支持板１５の間には、基台基板１１に取り付けた基台側ケーブル把持部材１６を備えている。本実施例では、基台側ケーブル把持部材１６は接続板１５ａに取り付けている。基台側ケーブル把持部材１６は基台基板１１に直接取り付けても、本実施例のように補強機能のために設けた接続板１５ａを介して基台基板１１に間接的に取り付けてもよい。
また、本実施例では、基台側ケーブル把持部材１６として、外側基台側ケーブル把持部材１６ａと、内側基台側ケーブル把持部材１６ｂとを設けている。
外側基台側ケーブル把持部材１６ａは、基台基板１１の下端側に設け、内側基台側ケーブル把持部材１６ｂは、ケーブル導入用開口１４側に設けている。内側基台側ケーブル把持部材１６ｂは、外側基台側ケーブル把持部材１６ａよりも、高い位置に設けることが好ましく、更には、内側基台側ケーブル把持部材１６ｂの自然高さは、外側基台側ケーブル把持部材１６ａの自然高さよりも高いことが好ましい。ここで、自然高さとは、負荷が加わらない状態での部材自体の高さである。
基台側ケーブル把持部材１６は、発泡弾性部材で形成し、発泡弾性部材には、複数のスリットを形成している。発泡弾性部材には、耐熱性のある部材が好ましく、例えばＥＰＤＭゴムが適している。スリットによって形成される発泡弾性部材片は、ケーブル６０の直径よりも狭い幅であることが好ましく、ケーブル６０の半径よりも長い高さであることが好ましい。本実施例で示す発泡弾性部材片は、ケーブル６０の半径よりも狭い幅とし、ケーブル６０の直径よりも長い高さとしている。
本実施例によれば、スリットによってケーブル６０と発泡弾性部材との間に隙間を生じることが少なくなり、止水効果を高めることができる。
【００１５】
基台基板１１の裏面には、設置時における屋根頂部の稜線方向に弾性材１７を貼り付けている。
【００１６】
図３は同ケーブル引込ユニットのカバーを示す図である。
カバー２０は、一対の支持板１５に当接するカバー天面材２１と、カバー天面材２１の両側端から基台基板１１の方向に延出するカバー壁面材２２と、カバー天面材２１の下端２１ａから基台フランジ板１３の方向に延出するカバー側面材２３と、カバー天面材２１の下端２１ａから延出して基台フランジ板１３に対向させることができる覆い材２４とを備えている。
【００１７】
図３（ｃ）に示すように、本実施例による太陽電池等のケーブル引込ユニットは、カバー側面材２３には、カバー天面材２１の下端２１ａから所定距離を有する位置に、一対の横方向スリット２５ｃを設け、一対の縦方向スリット２５ｂの上端を、一対の横方向スリット２５ｃの側方端部に連続して設けている。
横方向スリット２５ｃの側方端部を中央端部より低位置として、一対の横方向スリット２５ｃは、カバー天面材２１の下端２１ａに対してそれぞれ傾斜して設けている。
【００１８】
このように、一対の縦方向スリット２５ｂの間のカバー側面材２３を折り曲げることで形成される覆い材２４は、カバー天面材２１の下端２１ａから所定距離を有する位置に形成され、覆い材２４とカバー天面材２１の下端２１ａとの間には所定距離のカバー側面材２３が残存するため、ケーブル６０（図９参照）からの反力によってカバー天面材２１が変形することを防止でき、止水性を高めることができる。
また、カバー天面材２１から流れ落ちる雨水は、横方向スリット２５ｃの傾斜に沿って覆い材２４から離間する方向に流れるため、ケーブル６０からの雨水の侵入を少なくできる。また、本実施例によれば、横方向スリット２５ｃによって覆い材２４の両端部を折り曲げて用いる場合には、覆い材２４の両端部のカバー側面材２３側の辺（横方向スリット２５ｃによって形成される側辺）が、カバー側面材２３の面に平行となることで覆い材２４の覆い面が下方に傾斜するため、カバー天面材２１から覆い材２４に流れる雨水をスムーズに落下させることができる。
【００１９】
本実施例によれば、一対の縦方向スリット２５ｂの間のカバー側面材２３を折り曲げることで覆い材２４を形成できるため、可撓管７０に合わせた配置とすることができる。
なお、覆い材２４は、一対の横方向スリット２５ｃを形成することなく、一対の縦方向スリット２５ｂでも形成することができる。また、一対の縦方向スリット２５ｂは、カバー側面材２３の下端まで延びていれば、カバー天面材２１の下端２１ａに至らなくてもよい。また、覆い材２４は、一対の縦方向スリット２５ｂを形成することなく、カバー側面材２３全体を折り曲げて形成してもよい。
【００２０】
図３（ｂ）（ｃ）に示すように、カバー天面材２１の裏面には、カバー側ケーブル把持部材２６を取り付けている。
カバー側ケーブル把持部材２６は、カバー天面材２１に直接取り付けても、他の部材を介してカバー天面材２１に間接的に取り付けてもよい。
また、本実施例では、カバー側ケーブル把持部材２６として、外側カバー側ケーブル把持部材２６ａと、内側カバー側ケーブル把持部材２６ｂとを設けている。本実施例では、外側カバー側ケーブル把持部材２６ａ、及び内側カバー側ケーブル把持部材２６ｂは、カバー天面材２１に直接取り付けている。
カバー側ケーブル把持部材２６は、基台側ケーブル把持部材１６と同一部材であり、発泡弾性部材で形成している。発泡弾性部材には、耐熱性のある部材が好ましく、例えばＥＰＤＭゴムが適している。
【００２１】
図４は同ケーブル引込ユニットのジョイントを示す図である。
ジョイント３０は、基台基板１１及び棟包１の一部を覆うジョイント基板３１と、ジョイント基板３１の下端から垂下させるジョイント側板３２と、ジョイント側板３２の下端から延出させるジョイントフランジ板３３と、ジョイント基板３１に形成した支持板用開口３４と、建造物の壁面に配置されるジョイント垂下板材３５を備えている。ジョイントフランジ板３３には折り曲げを形成している。
ジョイント垂下板材３５を備えることで、片流れ屋根の建造物に適している。
【００２２】
図５は同ケーブル引込ユニットの主要部材の取り付け関係を示す図である。
図５（ａ）は基台１０を示している。
図５（ｂ）に示すように、基台１０の上面にジョイント３０が配置される。ジョイント３０を基台１０の上面に配置することで、基台基板１１、基台側板１２、及び基台フランジ板１３は、ジョイント３０によって覆われる。
図５（ｃ）に示すように、基台１０の上面にカバー２０が配置される。カバー２０を基台１０の上面に配置することで、ケーブル導入用開口１４及び一対の支持板１５は、カバー２０によって覆われる。
従って、基台１０は、カバー２０及びジョイント３０によって覆われ、基台１０の全てを露出させることなく施工でき、外観としてはジョイント３０とカバー２０が現れるため、様々な色対応の生産を迅速に行うことができる。
【００２３】
図６から図８は本実施例による太陽電池等のケーブル引込ユニットの施工方法を示す図である。
図６（ａ）は、野地開口形成工程を示している。野地開口形成工程では、野地板３の屋根頂部に頂部隙間５を形成する。頂部隙間５は、屋根頂部の稜線方向隙間寸法５Ｗを、ケーブル導入用開口１４の屋根頂部の稜線方向開口寸法より大きく形成する。
図６（ｂ）は、野地開口形成工程の後の屋根下葺き材施工工程及び捨水切施工工程を示している。
屋根下葺き材施工工程では、野地板３の上面に屋根下葺き材８を張り、頂部隙間５を開口させるために屋根下葺き材８に開口を設ける。
屋根下葺き材施工工程の後に捨水切施工工程を行う。
捨水切施工工程では、頂部隙間５の外周を覆う捨水切４０を施工する。捨水切４０の屋根頂部の稜線方向寸法は、頂部隙間５の稜線方向隙間寸法５Ｗよりも大きく形成している。捨水切施工工程の後に防水処理工程を行う。防水処理工程では、捨水切４０の外周を防水処理する。防水処理は、捨水切４０と屋根下葺き材８との隙間及び捨水切４０周辺の屋根下葺き材８に防水シートを貼り合わせる。
図６（ｃ）は、基台１０へのスペーサー取り付け工程を示している。
垂下板材１８に対向させてスペーサー５０を取り付ける。
図６（ｄ）は、角材施工工程及び貫板施工工程を示している。角材施工工程では、頂部隙間５の側方に、屋根勾配に合わせて角材６を留め付ける。角材施工工程の後に貫板施工工程を行う。貫板施工工程では、角材６の上に貫板７を留め付ける。従って、貫板７は頂部隙間５の側方に留め付ける。
図６（ｅ）（ｆ）は、基台施工工程を示している。
図６（ｅ）に示すように、基台施工工程では、基台１０を頂部隙間５の上方に配置し、基台側板１２を貫板７にビス５４によって取り付ける。
そして図６（ｆ）に示すように、基台施工工程では、スペーサー５０を破風下地６１にビス５４によって取り付ける。
【００２４】
図７（ａ）は、棟包施工工程を示している。棟包施工工程では、基台１０の両側部の位置で、貫板７に棟包１を被せて固定する。基台１０は棟包１の間に位置させている。棟包１の端部は基台基板１１の端部に当接させることが好ましい。
図７（ｂ）（ｃ）は、防水処理工程を示している。
図７（ｂ）（ｃ）に示すように、棟包１の基台１０側の端部、及び基台基板１１と基台側板１２と基台フランジ板１３と垂下板材１８との棟包１の端部に連続したシーリングＳを行う。シーリングＳは複数条とすることが好ましい。
【００２５】
図８（ａ）（ｂ）はジョイントの施工工程を示している。
図７（ｂ）（ｃ）に示すシーリングＳを覆うように、ジョイント３０を設ける。ジョイント３０によって、基台基板１１及び棟包１の一部が覆われる。
図８（ａ）に示すように、ジョイント垂下板材３５の下端を、垂下板材１８の下端及び棟包１の下端に引っ掛けた後に、ジョイントフランジ板３３の折り曲げによって基台フランジ板１３及び棟包１に引っ掛けて取り付ける。
そして図８（ｂ）に示すように、ジョイント側板３２の両側方及び棟包１の端部を貫板７にビス５４によって取り付ける。
なお、図示は省略するが、図６（ｅ）における基台施工工程の後に、入線工程を行う。入線工程では、ケーブル導入用開口１４と頂部隙間５とにケーブル６０を入線する。
図８（ｃ）は、ケーブル６０の入線をしていない状態を示しているが、入線工程の後に行うカバー固定工程を示している。カバー固定工程では、カバー２０を基台１０に取り付ける。
図示は省略するが、カバー固定工程では、ケーブル６０を基台側ケーブル把持部材１６とカバー側ケーブル把持部材２６とで挟み込み、ケーブル６０を収める可撓管７０の端部を基台１０と覆い材２４との間に配置する。このように、カバー２０を基台１０に取り付ける工程で、可撓管７０の端部を配置してケーブル６０を挟み込むため、止水のための複雑な作業を必要とせず、作業性に優れている。
【００２６】
図９は本実施例による太陽電池等のケーブル引込ユニットを、片流れの金属立平屋根に施工した状態を示す断面図である。
図９に示す片流れ屋根の建造物では、垂木２は、棟木９の上部から一方向に斜め下方に傾斜して設けている。垂木２の上部には野地板３を設け、野地板３の上面には屋根材４が敷設されている。屋根頂部には、屋根勾配に合わせて角材６を留め付け、角材６には貫板７を留め付けている。棟包１は、頂部隙間５を除き、貫板７に被せて固定している。
棟木９の壁面と垂木２の棟側端面には破風下地６１を設けている。破風下地６１の屋外側面には、破風板６２が配置される。
【００２７】
本実施例による片流れ屋根用のケーブル引込ユニットは、スペーサー５０を用いて施工する。
スペーサー５０は、垂下板材１８と平行に配置されて破風下地６１に固定されるスペーサー固定板材５１と、連接板材５２を介してスペーサー固定板材５１と平行に配置される垂下固定板材５３とからなり、一枚の板材を折り曲げて形成されている。連接板材５２は、スペーサー固定板材５１の上端と垂下固定板材５３の上端とを連接する。連接板材５２の下方で、スペーサー固定板材５１と垂下固定板材５３との間には、破風板のみこみ部を形成している。
基台１０は、基台基板１１の両側端を棟包１の端部に当接し、垂下板材１８を垂下固定板材５３の外表面に当接する。スペーサー固定板材５１は、破風下地６１にビス５４によって固定される。スペーサー固定板材５１を破風下地６１に固定した後に、破風板６２が設置される。破風板６２は、破風板のみこみ部に破風板６２の上端部を挿入して設置される。
【００２８】
本実施例において、ケーブル６０は、基台側ケーブル把持部材１６とカバー側ケーブル把持部材２６とで挟み込まれ、ケーブル６０を収める可撓管７０の端部は、基台フランジ板１３と覆い材２４との間に配置される。このように、同ケーブル引込ユニットは、太陽電池パネルやアンテナなどに付属するケーブル６０を、野地板３に形成した頂部隙間５から屋内に導くものである。
【産業上の利用可能性】
【００２９】
本発明による太陽電池等のケーブル引込ユニットは、金属屋根であってもスレート屋根であっても、更には勾配の異なる屋根であっても施工することができる。
【符号の説明】
【００３０】
１  棟包
２  垂木
３  野地板
４  屋根材（金属立平）
５  頂部隙間
５Ｗ  稜線方向隙間寸法
６  角材
７  貫板
８  屋根下葺き材
９  棟木
１０  基台
１１  基台基板
１２  基台側板
１３  基台フランジ板
１４  ケーブル導入用開口
１５  支持板
１５ａ  接続板
１５ｂ  開口補強部
１６  基台側ケーブル把持部材
１６ａ  外側基台側ケーブル把持部材
１６ｂ  内側基台側ケーブル把持部材
１７  弾性材
１８  垂下板材
２０  カバー
２１  カバー天面材
２１ａ  下端
２２  カバー壁面材
２３  カバー側面材
２４  覆い材
２５ｂ  縦方向スリット
２５ｃ  横方向スリット
２６  カバー側ケーブル把持部材
２６ａ  外側カバー側ケーブル把持部材
２６ｂ  内側カバー側ケーブル把持部材
３０  ジョイント
３１  ジョイント基板
３２  ジョイント側板
３３  ジョイントフランジ板
３４  支持板用開口
３５  ジョイント垂下板材
４０  捨水切
５０  スペーサー
５１  スペーサー固定板材
５２  連接板材
５３  垂下固定板材
５４  ビス
６０  ケーブル
６１  破風下地
６２  破風板
７０  可撓管
Ｓ  シーリング
【図１】
2020111883.tif 000003
【図２】
2020111883.tif 000004
【図３】
2020111883.tif 000005
【図４】
2020111883.tif 000006
【図５】
2020111883.tif 000007
【図６】
2020111883.tif 000008
【図７】
2020111883.tif 000009
【図８】
2020111883.tif 000010
【図９】
2020111883.tif 000011